(57)【要約】【課題】主回路が異常である状態が継続している場合、主回路が正常であることを示す通知信号と主回路が異常であることを示す通知信号とが電力変換回路から上位システムに交互に出力されることを防止する。【解決手段】主回路２と、主回路２の出力電圧を検出する電圧検出部３と、電圧検出部３により検出される電圧により主回路２が異常であると判断すると、スイッチＳＷを停止させる保護動作を実施する保護回路４と、主回路２の起動時にスイッチＳＷをソフトスタートにより駆動させるソフトスタート制御部５２と、保護動作の実施状況と、ソフトスタートによるスイッチＳＷの駆動状況とに応じて、主回路２が正常であることを示す通知信号または主回路２が異常であることを示す通知信号を上位システムＣｏｎに出力する通知信号出力部５３とを備えて電力変換回路１を構成する。【選択図】図１
2020171149.tif 000002
【特許請求の範囲】
【請求項１】
スイッチが駆動することにより電源から供給される電力を所定の電力に変換する主回路と、
前記主回路の状態を検出するセンサと、
前記センサにより検出される状態により前記主回路が異常であると判断すると、前記スイッチを停止させる保護動作を実施する保護回路と、
前記主回路の起動時に前記スイッチをソフトスタートにより駆動させるソフトスタート制御部と、
前記保護動作の実施状況と、前記ソフトスタートによる前記スイッチの駆動状況とに応じて、前記主回路が正常であることを示す通知信号または前記主回路が異常であることを示す通知信号を上位システムに出力する通知信号出力部と、
を備える電力変換回路。
【請求項２】
請求項１に記載の電力変換回路であって、
前記通知信号出力部は、前記スイッチがソフトスタートにより駆動されているとき、前記保護動作が実施されているか否かに関わらず、前記主回路が異常であることを示す通知信号を前記上位システムに出力する
ことを特徴とする電力変換回路。
【請求項３】
請求項２に記載の電力変換回路であって、
前記通知信号出力部は、前記スイッチがソフトスタートにより駆動されているとき、前記スイッチがソフトスタートにより駆動される前に出力していた通知信号を継続して前記上位システムに出力し、前記スイッチがソフトスタートにより駆動された後、前記保護動作が実施されていないとき、前記主回路が正常であることを示す通知信号を前記上位システムに出力し、前記保護動作が実施されているとき、前記主回路が異常であることを示す通知信号を前記上位システムに出力する
ことを特徴とする電力変換回路。
【発明の詳細な説明】
【技術分野】
【０００１】
本発明は、電力変換回路に関する。
【背景技術】
【０００２】
電力変換回路において回路異常が生じた場合、異常検知したセンサ信号を発生させて、例えば回路動作を停止させるような保護動作をする。
【０００３】
関連する技術として、特許文献１がある。
【先行技術文献】
【特許文献】
【０００４】
【特許文献１】特開２０１２−２５７４２１号公報
【発明の概要】
【発明が解決しようとする課題】
【０００５】
車載の電力変換回路などにおいては回路異常状態や保護動作状態に陥った場合、車両を停止させたりドライバーに異常を知らせたりする為に、回路異常状態や保護動作状態を上位システムに伝達する必要がある。例えば電力変換回路として、スイッチが駆動することにより電源から供給される電力を所定の電力に変換する主回路と、主回路が異常であると判断すると、スイッチを停止させる保護動作を実施する保護回路と、保護動作が実施されていないとき、主回路が正常であることを示す通知信号を上位システムに出力し、保護動作が実施されているとき、主回路が異常であることを示す通知信号を上位システムに出力する通知信号出力回路とを備えるものが考えられる。
【０００６】
しかしながら、上記電力変換回路では、主回路が異常である状態が継続している場合、スイッチが停止することで主回路が一時的に異常から正常に復帰するが、異常の原因が取り除かれていない為、主回路が再起動した後、主回路が異常であると再度判断することが繰り返され、主回路が正常であることを示す通知信号と主回路が異常であることを示す通知信号が上位システムに交互に出力されてしまうおそれがある。
【０００７】
そこで、本発明の一側面に係る目的は、主回路が異常である状態が継続している場合、主回路が正常であることを示す通知信号と主回路が異常であることを示す通知信号とが上位システムに交互に出力されることを防止することが可能な電力変換回路を提供することである。
【課題を解決するための手段】
【０００８】
本発明に係る一つの形態である電力変換回路は、主回路と、センサと、保護回路と、ソフトスタート制御部と、通知信号出力部とを備える。
【０００９】
主回路は、スイッチが駆動することにより電源から供給される電力を所定の電力に変換する。
【００１０】
センサは、主回路の状態を検出する。
保護回路は、センサにより検出される状態により主回路が異常であると判断すると、スイッチを停止させる保護動作を実施する。
【００１１】
ソフトスタート制御部は、主回路の起動時にスイッチをソフトスタートにより駆動させる。
【００１２】
通知信号出力部は、保護動作の実施状況と、ソフトスタートによるスイッチの駆動状況とに応じて、主回路が正常であることを示す通知信号または主回路が異常であることを示す通知信号を上位システムに出力する。
【００１３】
このように、通知信号出力部は、保護動作の実施状況と、ソフトスタートによるスイッチの駆動状況とに応じて、主回路が正常であることを示す通知信号または主回路が異常であることを示す通知信号を上位システムに出力する構成であるため、以下のような構成を採用することができる。
【００１４】
すなわち、通知信号出力部は、スイッチがソフトスタートにより駆動されているとき、保護動作が実施されているか否かに関わらず、主回路が異常であることを示す通知信号を上位システムに出力する。
【００１５】
または、通知信号出力部は、ソフトスタートによりスイッチが駆動されているとき、スイッチＳＷがソフトスタートにより駆動される前に出力していた通知信号を継続して上位システムに出力し、ソフトスタートによりスイッチが駆動された後、保護動作が実施されていないとき、主回路が正常であることを示す通知信号を上位システムに出力し、保護動作が実施されているとき、主回路が異常であることを示す通知信号を上位システムに出力する。
【００１６】
これにより、ソフトスタートによるスイッチの駆動中、主回路が異常であることを示す通知信号を通知信号出力部から上位システムに出力することができるため、主回路が異常である状態が継続している場合、保護動作が実施された後、保護動作が実施されなくなりソフトスタートが行われることが繰り返されたとしても、主回路が異常であることを示す通知信号を上位システムに継続して出力することができる。すなわち、主回路が異常である状態が継続している場合、主回路が正常であることを示す通知信号と主回路が異常であることを示す通知信号とが上位システムに交互に出力されることを防止することができる。
【発明の効果】
【００１７】
本発明は、主回路が異常である状態が継続している場合、主回路が正常であることを示す通知信号と主回路が異常であることを示す通知信号とが電力変換回路から上位システムに交互に出力されることを防止することができる。
【図面の簡単な説明】
【００１８】
【図１】実施形態の電力変換回路の一例を示す図である。
【図２】電圧検出部の出力電圧、保護回路の出力電圧、及びソフトスタートが考慮されていない通知信号出力部の出力電圧の一例を示す図である。
【図３】電圧検出部の出力電圧、保護回路の出力電圧、及びソフトスタートが考慮されている通知信号出力部の出力電圧の一例を示す図である。
【発明を実施するための形態】
【００１９】
以下図面に基づいて実施形態について詳細を説明する。
図１は、実施形態の電力変換回路の一例を示す図である。
【００２０】
図１に示す電力変換回路１は、アクティブクランプ方式のフォワード型ＤＣＤＣコンバータであって、主回路２と、電圧検出部３と、保護回路４と、制御部５とを備える。例えば、電力変換回路１は、ハイブリッド車や電気自動車などの車両に搭載され、高圧バッテリＢｈｉ（電源）から供給される電力を所定の電力に変換し、不図示の低圧バッテリやスターターモータやライトなどの負荷に電力を供給する。高圧バッテリＢｈｉは、走行モータを駆動するインバータなどの負荷に電力を供給し、低圧バッテリは、スターターモータやライトなどの負荷に電力を供給する。
【００２１】
主回路２は、コンデンサＣ１と、スイッチＳＷと、クランプスイッチＳＷｃと、クランプコンデンサＣｃと、トランスＴと、整流回路２１と、平滑回路２２とを備え、スイッチＳＷが駆動することにより高圧バッテリＢｈｉから供給される電力を所定の電力に変換して低圧バッテリや負荷に出力する。整流回路２１は、整流用スイッチＳＷｒ１と、整流用ＳＷｒ２とを備える。平滑回路２２は、インダクタＬと、コンデンサＣ２とを備える。なお、トランスＴの１次コイルＬ１と２次コイルＬ２の巻数比は、１次コイルＬ１の巻数：２次コイルＬ２の巻数＝Ｎ：１とし、高圧バッテリＢｈｉの電圧が降圧され低圧バッテリや負荷に出力されるものとする。また、スイッチＳＷ、クランプスイッチＳＷｃ、及び整流用スイッチＳＷｒ１、ＳＷｒ２は、それぞれ、ＭＯＳＦＥＴ（Metal Oxide Semiconductor Field Effect Transistor）などとする。また、整流用スイッチＳＷｒ１、ＳＷｒ２をダイオードに替えてもよい。また、電力変換回路１は、フライバック型ＤＣＤＣコンバータ、非絶縁型ＤＣＤＣコンバータ、またはモータ駆動用のインバータなどスイッチＳＷの駆動により電源から供給される電力を所定の電力に変換するものであれば、アクティブクランプ方式のフォワード型ＤＣＤＣコンバータに限定されない。
【００２２】
高圧バッテリＢｈｉのプラス端子がコンデンサＣ１の一方の端子、クランプコンデンサＣｃの一方の端子、及びトランスＴの１次コイルＬ１の一方の端子に接続され、高圧バッテリＢｈｉのマイナス端子がコンデンサＣ１の他方の端子及びスイッチＳＷのソース端子に接続されている。スイッチＳＷのドレイン端子が１次コイルＬ１の他方の端子及びクランプスイッチＳＷｃのソース端子に接続されている。クランプスイッチＳＷｃのドレイン端子がクランプコンデンサＣｃの他方の端子に接続されている。トランスＴの２次コイルＬ２の一方の端子が整流用スイッチＳＷｒ１のドレイン端子及びインダクタＬの一方の端子に接続され、２次コイルＬ２の他方の端子が整流用スイッチＳＷｒ２のドレイン端子に接続されている。インダクタＬの他方の端子がコンデンサＣ２の一方の端子に接続されている。整流用スイッチＳＷｒ１のソース端子が整流用スイッチＳＷｒ２のソース端子、及びコンデンサＣ２の他方の端子に接続されている。
【００２３】
電圧検出部３は、主回路２の状態を検出するセンサの一例であり、主回路２の出力電圧を検出して保護回路４や制御部５に出力する。なお、センサは、主回路２の出力電流や主回路２の内部に流れる電流を検出する電流検出部などにより構成されてもよい。
【００２４】
保護回路４は、電圧検出部３により検出される電圧により主回路２が異常であると判断すると、スイッチＳＷなどを停止させる保護動作を実施する。例えば、保護回路４は、電圧検出部３により検出される電圧や電流検出部により検出される電流に基づいて、主回路２が正常であると判断すると、ハイレベルの電圧を制御部５に出力し、主回路２が異常であると判断すると、ローレベルの電圧を制御部５に出力する。制御部５（後述するスイッチ制御部５１）は、保護回路４から出力される電圧がハイレベルであるとき、主回路２が正常であると判断してスイッチＳＷなどを駆動可能な状態にし、保護回路４から出力される電圧がローレベルであるとき、主回路２が異常であると判断してスイッチＳＷなどを駆動禁止状態にする。なお、保護回路４は、例えば、ＩＣ（Integrated Circuit）やマイクロコンピュータなどにより構成される。
【００２５】
制御部５は、スイッチ制御部５１と、ソフトスタート制御部５２と、通知信号出力部５３とを備える。なお、制御部５は、例えば、ＩＣやマイクロコンピュータなどにより構成される。また、スイッチ制御部５１、ソフトスタート制御部５２、及び通知信号出力部５３は、ソフトウェアにより構成されてもよいし、ハードウェアにより構成されてもよい。
【００２６】
スイッチ制御部５１は、高圧バッテリＢｈｉから供給される電力が所定の電力になるように、スイッチＳＷを交互にオン、オフさせる制御信号のデューティ比を制御し、その制御信号をスイッチＳＷのゲート端子に出力する。スイッチＳＷが交互にオン、オフすると、高圧バッテリＢｈｉから供給される電力が交流に変換されて１次コイルＬ１から２次コイルＬ２に伝わる。
【００２７】
また、スイッチ制御部５１は、クランプスイッチＳＷｃを交互にオン、オフさせる制御信号をクランプスイッチＳＷｃのゲート端子に出力する。なお、スイッチ制御部５１は、スイッチＳＷをオンさせているとき、クランプスイッチＳＷｃをオフさせ、スイッチＳＷをオフさせているとき、クランプスイッチＳＷｃがオンさせる。これにより、１次コイルＬ１に蓄積されるエネルギーをクランプコンデンサＣｃに移動させ、１次コイルＬ１に蓄積されるエネルギーをリセットさせることができる。
【００２８】
また、スイッチ制御部５１は、整流用スイッチＳＷｒ１を交互にオン、オフさせる制御信号を整流用スイッチＳＷｒ１のゲート端子に出力するとともに、整流用スイッチＳＷｒ２を交互にオン、オフさせる制御信号を整流用スイッチＳＷｒ２のゲート端子に出力する。なお、スイッチ制御部５１は、スイッチＳＷをオンさせているとき、整流用スイッチＳＷｒ１をオフさせるとともに整流用スイッチＳＷｒ２をオンさせる。また、スイッチ制御部５１は、スイッチＳＷをオフさせているとき、整流用スイッチＳＷｒ１をオンさせるとともに整流用スイッチＳＷｒ２をオフさせる。スイッチＳＷ及び整流用スイッチＳＷｒ２がオンし、整流用スイッチＳＷｒ１がオフすると、２次コイルＬ２からインダクタＬ及びコンデンサＣ２を介して低圧バッテリや負荷に電流が流れる。また、スイッチＳＷ及び整流用スイッチＳＷｒ２がオフし、整流用スイッチＳＷｒ１がオンすると、整流用スイッチＳＷｒ１からインダクタＬ及びコンデンサＣ２を介して低圧バッテリや負荷に電流が流れる。
【００２９】
これにより、高圧バッテリＢｈｉから供給される電力を所定の電力に変換して低圧バッテリや負荷に出力させることができる。
【００３０】
ソフトスタート制御部５２は、制御部５に電力が供給されてスイッチＳＷなどが駆動可能な状態になり主回路２が起動すると、スイッチ制御部５１からスイッチＳＷに出力される制御信号のデューティ比を徐々に大きくさせることで主回路２の出力電圧を徐々に大きくさせる。すなわち、ソフトスタート制御部５２は、主回路２の起動時にスイッチＳＷをソフトスタートにより駆動させる。
【００３１】
また、ソフトスタート制御部５２は、ソフトスタートによりスイッチＳＷを駆動させていないことを示す信号またはソフトスタートによりスイッチＳＷを駆動させていることを示す信号を通知信号出力部５３に出力する。例えば、ソフトスタート制御部５２は、ソフトスタートによりスイッチＳＷを駆動させていないとき、ローレベルの電圧を通知信号出力部５３に出力し、ソフトスタートによりスイッチＳＷを駆動させているとき、ハイレベルの電圧を通知信号出力部５３に出力する。
【００３２】
通知信号出力部５３は、保護動作の実施状況と、ソフトスタートによるスイッチＳＷの駆動状況とに応じて、主回路２が正常であることを示す通知信号または主回路２が異常であることを示す通知信号を上位システムＣｏｎに出力する。例えば、通知信号出力部５３は、ソフトスタートによりスイッチＳＷが駆動されていないときで、かつ、保護動作が実施されていないとき、主回路２が正常であることを示す通知信号としてハイレベルの電圧を車両の走行を制御する上位システムＣｏｎに出力する。また、通知信号出力部５３は、ソフトスタートによりスイッチＳＷが駆動されていないときで、かつ、保護動作が実施されているとき、主回路２が異常であることを示す通知信号としてローレベルの電圧を上位システムＣｏｎに出力する。上位システムＣｏｎは、通知信号としてハイレベルの電圧が入力されると、主回路２が正常であることを認識し、通知信号としてローレベルの電圧が入力されると、主回路２が異常であることを認識する。
【００３３】
また、通知信号出力部５３は、スイッチＳＷがソフトスタートにより駆動されているとき、保護動作が実施されているか否かに関わらず、主回路２が異常であることを示す通知信号を上位システムＣｏｎに出力する。または、通知信号出力部５３は、スイッチＳＷがソフトスタートにより駆動されているとき、スイッチＳＷがソフトスタートにより駆動される前に出力していた通知信号を継続して上位システムＣｏｎに出力し、スイッチＳＷがソフトスタートにより駆動された後、保護動作が実施されていないとき、主回路２が正常であることを示す通知信号を上位システムＣｏｎに出力し、保護動作が実施されているとき、主回路２が異常であることを示す通知信号を上位システムに出力する。
【００３４】
ここで、比較例として通知信号出力部５３においてソフトスタートが考慮されていない場合について説明する。
【００３５】
図２（ａ）は、電圧検出部３から出力される電圧の一例を示す図であり、図２（ｂ）は、保護回路４から出力される電圧の一例を示す図であり、図２（ｃ）は、ソフトスタートが考慮されていない通知信号出力部５１から出力される電圧の一例を示す図である。なお、図２（ａ）〜図２（ｃ）のそれぞれの２次元座標の横軸は時間を示し、縦軸は電圧を示している。また、主回路２が異常である状態が継続しているものとする。また、ソフトスタートが考慮されていない通知信号出力部５１は、保護動作が実施されていないとき、主回路２が正常であることを示す通知信号としてハイレベルの電圧を上位システムに出力し、保護動作が実施されているとき、主回路２が異常であることを示す通知信号としてローレベルの電圧を上位システムＣｏｎに出力するものとする。
【００３６】
この場合、図２（ａ）〜図２（ｃ）に示すように、電圧検出部３から出力される電圧が異常閾値Ｖｔｈ１より小さいとき（時刻ｔ０〜時刻ｔ１）、保護回路４は、ハイレベルの電圧を出力する。スイッチ制御部５１は、保護回路４から出力される電圧がハイレベルであると、スイッチＳＷの駆動を許可する。すなわち、保護動作が実施されていないため、ソフトスタートが考慮されていない通知信号出力部５３は、主回路２が正常であることを示す通知信号としてハイレベルの電圧を上位システムＣｏｎに出力する。
【００３７】
次に、電圧検出部３から出力される電圧が異常閾値Ｖｔｈ１以上になると（時刻ｔ１）、保護回路４は、ローレベルの電圧を出力する。すると、スイッチ制御部５１は、スイッチＳＷの駆動を禁止する。すなわち、保護動作が実施されているため、ソフトスタートが考慮されていない通知信号出力部５３は、主回路２が異常であることを示す通知信号としてローレベルの電圧を上位システムＣｏｎに出力する。また、スイッチＳＷが駆動していないため、電圧検出部３から出力される電圧が徐々に低下していく。
【００３８】
次に、電圧検出部３から出力される電圧が復帰閾値Ｖｔｈ２以下になると（時刻ｔ２）、保護回路４は、ハイレベルの電圧を出力する。すると、スイッチ制御部５１は、主回路２を再起動するために初期化（例えば、各種制御パラメータを初期値に設定する処理）を行う。
【００３９】
次に、初期化が終了すると（時刻ｔ３）、ソフトスタート制御部５２は、スイッチＳＷをソフトスタートにより駆動する。このとき、スイッチ制御部５１は、保護回路４から出力される電圧がハイレベルであるため、スイッチＳＷの駆動を許可する。すなわち、保護動作が実施されていないため、ソフトスタートが考慮されていない通知信号出力部５３は、主回路２が正常であることを示す通知信号としてハイレベルの電圧を上位システムＣｏｎに出力する。また、スイッチＳＷが駆動しているため、電圧検出部３から出力される電圧が徐々に上昇していく。
【００４０】
次に、電圧検出部３から出力される電圧が再び異常閾値Ｖｔｈ１以上になると（時刻ｔ４）、保護回路４は、ローレベルの電圧を出力する。すると、スイッチ制御部５１は、スイッチＳＷの駆動を禁止する。すなわち、保護動作が実施されているため、ソフトスタートが考慮されていない通知信号出力部５３は、主回路２が異常であることを示す通知信号としてローレベルの電圧を上位システムＣｏｎに出力する。また、スイッチＳＷが駆動していないため、電圧検出部３から出力される電圧が徐々に低下していく。
【００４１】
次に、電圧検出部３から出力される電圧が復帰閾値Ｖｔｈ２以下になると（時刻ｔ５）、保護回路４は、ハイレベルの電圧を出力する。すると、スイッチ制御部５１は、主回路２を再起動するために初期化を行う。
【００４２】
次に、初期化が終了すると（時刻ｔ６）、ソフトスタート制御部５２は、スイッチＳＷをソフトスタートにより駆動する。このとき、スイッチ制御部５１は、保護回路４から出力される電圧がハイレベルであるため、スイッチＳＷの駆動を許可する。すなわち、保護動作が実施されていないため、ソフトスタートが考慮されていない通知信号出力部５３は、主回路２が正常であることを示す通知信号としてハイレベルの電圧を上位システムＣｏｎに出力する。
【００４３】
このように、通知信号出力部５３においてソフトスタートが考慮されていない場合では、主回路２が異常である状態が継続していると、通知信号出力部５３からハイレベルの電圧とローレベルの電圧が交互に出力されてしまう。
【００４４】
次に、通知信号出力部５３においてソフトスタートが考慮されている場合について説明する。
【００４５】
図３（ａ）は、電圧検出部３から出力される電圧の一例を示す図であり、図３（ｂ）は、保護回路４から出力される電圧の一例を示す図であり、図３（ｃ）は、ソフトスタート制御部５２から出力される電圧の一例を示す図であり、図３（ｄ）は、ソフトスタートが考慮されている通知信号出力部５３から出力される電圧の一例を示す図である。なお、図３（ａ）〜図３（ｄ）のそれぞれの２次元座標の横軸は時間を示し、縦軸は電圧を示している。また、主回路２が異常である状態が継続しているものとする。また、ソフトスタートが考慮されている通知信号出力部５３は、スイッチＳＷがソフトスタートにより駆動されているとき、保護動作が実施されているか否かに関わらず、主回路２が異常であることを示す通知信号を上位システムＣｏｎに出力するものとする。または、ソフトスタートが考慮されている通知信号出力部５３は、スイッチＳＷがソフトスタートにより駆動されているとき、スイッチＳＷがソフトスタートにより駆動される前に出力していた通知信号を継続して上位システムＣｏｎに出力し、スイッチＳＷがソフトスタートにより駆動された後、保護動作が実施されていないとき、主回路２が正常であることを示す通知信号を上位システムＣｏｎに出力し、保護動作が実施されているとき、主回路２が異常であることを示す通知信号を上位システムＣｏｎに出力するものとする。
【００４６】
この場合、図３（ａ）〜図３（ｄ）に示すように、電圧検出部３から出力される電圧が異常閾値Ｖｔｈ１より小さいとき（時刻ｔ０〜時刻ｔ１）、保護回路４は、ハイレベルの電圧を出力する。スイッチ制御部５１は、保護回路４から出力される電圧がハイレベルであるため、スイッチＳＷの駆動を許可する。すなわち、保護動作が実施されていない。また、ソフトスタート制御部５２は、ソフトスタートを行っていない旨を示すローレベルの電圧を通知信号出力部５３に出力する。そのため、ソフトスタートが考慮されている通知信号出力部５３は、スイッチＳＷがソフトスタートにより駆動されておらず、かつ、保護動作が実施されていないため、主回路２が正常であることを示す通知信号としてハイレベルの電圧を上位システムＣｏｎに出力する。
【００４７】
次に、電圧検出部３から出力される電圧が異常閾値Ｖｔｈ１以上になると（時刻ｔ１）、保護回路４は、ローレベルの電圧を出力する。すると、スイッチ制御部５１は、スイッチＳＷの駆動を禁止する。すなわち、保護動作が実施されている。また、ソフトスタート制御部５２は、ソフトスタートを行っていないことを示すローレベルの電圧を通知信号出力部５３に出力している。そのため、ソフトスタートが考慮されている通知信号出力部５３は、スイッチＳＷがソフトスタートにより駆動されておらず、かつ、保護動作が実施されているため、主回路２が異常であることを示す通知信号としてローレベルの電圧を上位システムＣｏｎに出力する。また、スイッチＳＷが駆動していないため、電圧検出部３から出力される電圧が徐々に低下していく。
【００４８】
次に、電圧検出部３から出力される電圧が復帰閾値Ｖｔｈ２以下になると（時刻ｔ２）、保護回路４は、ハイレベルの電圧を出力する。すると、スイッチ制御部５１は、主回路２を再起動するために初期化を行う。
【００４９】
次に、初期化が終了すると（時刻ｔ３）、ソフトスタート制御部５２は、ソフトスタートによりスイッチＳＷを駆動するとともに、ソフトスタートによりスイッチＳＷを駆動していることを示すハイレベルの電圧を通知信号出力部５３に出力する。このとき、スイッチ制御部５１は、保護回路４から出力される電圧がハイレベルであるため、スイッチＳＷの駆動を許可する。すなわち、保護動作が実施されていない。また、ソフトスタートが考慮されている通知信号出力部５３は、ソフトスタートによりスイッチＳＷが駆動されているため、保護動作が実施されていなくても、主回路２が異常であることを示す通知信号としてローレベルの電圧を上位システムＣｏｎに出力する。または、ソフトスタートが考慮されている通知信号出力部５３は、ソフトスタートによりスイッチＳＷが駆動する前の通知信号としての電圧がローレベルである場合、ソフトスタートによりスイッチＳＷが駆動されているとき、保護動作が実施されていなくても、主回路２が異常であることを示す通知信号としてローレベルの電圧を上位システムＣｏｎに出力する。また、スイッチＳＷが駆動しているため、電圧検出部３から出力される電圧が徐々に上昇していく。
【００５０】
次に、電圧検出部３から出力される電圧が再び異常閾値Ｖｔｈ１以上になると（時刻ｔ４）、保護回路４は、ローレベルの電圧を出力する。すると、スイッチ制御部５１は、スイッチＳＷの駆動を禁止する。すなわち、保護動作が実施されている。また、ソフトスタート制御部５２は、ソフトスタートを行っていないことを示すローレベルの電圧を通知信号出力部５３に出力している。そのため、ソフトスタートが考慮されている通知信号出力部５３は、スイッチＳＷがソフトスタートにより駆動されておらず、かつ、保護動作が実施されているため、主回路２が異常であることを示す通知信号としてローレベルの電圧を上位システムＣｏｎに出力する。また、スイッチＳＷが駆動していないため、電圧検出部３から出力される電圧が徐々に低下していく。
【００５１】
次に、電圧検出部３から出力される電圧が復帰閾値Ｖｔｈ２以下になると（時刻ｔ５）、保護回路４は、ハイレベルの電圧を出力する。すると、スイッチ制御部５１は、主回路２を再起動するために初期化を行う。
【００５２】
次に、初期化が終了すると（時刻ｔ６）、ソフトスタート制御部５２は、ソフトスタートによりスイッチＳＷを駆動するとともに、ソフトスタートによりスイッチＳＷを駆動していることを示すハイレベルの電圧を通知信号出力部５３に出力する。このとき、スイッチ制御部５１は、保護回路４から出力される電圧がハイレベルであるため、スイッチＳＷの駆動を許可する。すなわち、保護動作が実施されていない。また、ソフトスタートが考慮されている通知信号出力部５３は、ソフトスタートによりスイッチＳＷが駆動されているため、保護動作が実施されていなくても、主回路２が異常であることを示す通知信号としてローレベルの電圧を上位システムＣｏｎに出力する。または、ソフトスタートが考慮されている通知信号出力部５３は、ソフトスタートによりスイッチＳＷが駆動する前の通知信号としての電圧がローレベルである場合、ソフトスタートによりスイッチＳＷが駆動されているとき、保護動作が実施されていなくても、主回路２が異常であることを示す通知信号としてローレベルの電圧を上位システムＣｏｎに出力する。
【００５３】
このように、通知信号出力部５３においてソフトスタートが考慮されている場合では、主回路２が異常である状態が継続していても、通知信号出力部５３からハイレベルの電圧とローレベルの電圧が交互に出力されることを防止することができる。
【００５４】
すなわち、実施形態の電力変換回路１では、ソフトスタートによるスイッチＳＷの駆動中、主回路２が異常であることを示す通知信号を通知信号出力部５３から上位システムＣｏｎに出力することができるため、主回路２が異常である状態が継続している場合において、保護動作が実施された後、保護動作が実施されなくなりソフトスタートが行われることが繰り返されたとしても、主回路２が異常であることを示す通知信号を上位システムＣｏｎに継続して出力することができる。すなわち、主回路２が異常である状態が継続している場合、主回路２が正常であることを示す通知信号と主回路２が異常であることを示す通知信号とが上位システムＣｏｎに交互に出力されることを防止することができる。これにより、上位システムＣｏｎにおいて主回路２が異常であるか否かを適正に認識することができる。
【００５５】
なお、本発明は、以上の実施の形態に限定されるものでなく、本発明の要旨を逸脱しない範囲内で種々の改良、変更が可能である。
【符号の説明】
【００５６】
１  電力変換回路
２  主回路
３  電圧検出部
４  保護回路
５  制御部
２１  整流回路
２２  平滑回路
５１  スイッチ制御部
５２  ソフトスタート制御部
５３  通知信号出力部
Ｃｏｎ  上位システム
Ｂｈｉ  高圧バッテリ
Ｃ１、Ｃ２  コンデンサ
Ｃｃ  クランプコンデンサ
ＳＷ  スイッチ
ＳＷｃ  クランプスイッチ
ＳＷｒ１、ＳＷｒ２  整流用スイッチ
Ｔ  トランス
Ｌ  インダクタ
【図１】
2020171149.tif 000003
【図２】
2020171149.tif 000004
【図３】
2020171149.tif 000005